(57)【要約】【課題】複数の構成部材が軸方向に組み付けられて形成される回転電機のコアにおいて、コギングトルクを低減することができる回転電機のコアを提供する。【解決手段】コア１は、放射状に設けられ巻線が巻回される複数のティース部２，３を備え、隣り合うティース部２，３が分割されて設けられた第１及び第２分割コア１１，１２が軸方向に組み付けられて形成される。ティース部２，３の先端から周方向に延びる傘部２ａ，３ａには、周方向端部に向かうほどその軸方向長さを小さくする縮長テーパ部２ｂ，３ｂが形成される。縮長テーパ部２ｂ，３ｂは、傘部２ａ，３ａの周方向の両端に形成され、他の傘部に対し自身が組み付けられる方向における先端部に向かうほど傘部２ａ，３ａの周方向の幅を小さくするように傾斜される。【選択図】        図２
2004260935.tif 000002
【特許請求の範囲】
【請求項１】
放射状に設けられ巻線が巻回される複数のティース部を備え、隣り合う前記ティース部が複数に分割された複数の構成部材が軸方向に組み付けられて形成される回転電機のコアにおいて、
前記ティース部の先端から周方向に延びる傘部に、周方向端部に向かうほどその軸方向長さを小さくする縮長部を形成したことを特徴とする回転電機のコア。
【請求項２】
請求項１に記載の回転電機のコアにおいて、
前記縮長部は、前記傘部の周方向の両端に形成され、他の傘部に対し自身が組み付けられる方向における先端部に向かうほど前記傘部の周方向の幅を小さくするように傾斜した縮長テーパ部であることを特徴とする回転電機のコア。
【請求項３】
請求項１又は２に記載の回転電機のコアにおいて、
複数の前記ティース部を径方向内側で連結するリング部を有し、
前記構成部材は、前記リング部が軸方向に分割された分割リング部をそれぞれ有し、その各分割リング部に隣り合う前記ティース部が分割されて設けられた複数の分割コアであることを特徴とする回転電機のコア。
【請求項４】
請求項１に記載の回転電機のコアにおいて、
前記縮長部は、前記傘部の周方向の両端に略平行に傾斜して形成された平行テーパ部であって、
前記構成部材は、前記平行テーパ部と略平行に傾斜した傾斜被嵌合部及び傾斜嵌合部を有し、前記傾斜被嵌合部及び前記傾斜嵌合部が嵌合されて組み付けられることを特徴とする回転電機のコア。
【請求項５】
請求項１又は２に記載の回転電機のコアにおいて、
複数の前記ティース部を径方向内側で連結するリング部を有し、
前記構成部材は、前記リング部と、各前記ティース部であることを特徴とする回転電機のコア。
【発明の詳細な説明】
【０００１】
【発明の属する技術分野】
本発明は、モータ等に用いられ、巻線が巻回される複数のティース部を備えた回転電機のコアに関するものである。
【０００２】
【従来の技術】
従来、回転機器であるモータ等における電機子（アーマチャ）等は、巻線が巻回されるコアを有している。詳しくは、コアは、放射状に設けられた複数のティース部を備え、そのティース部に巻線が巻回されることになる。そして、このようなコアとしては、複数の部材が軸方向に組み付けられて形成されるものがある（例えば、特許文献１参照）。このようなコアでは、隣り合うティース部を分割した状態（複数の構成部材に分割した状態）で、予め巻線を巻回することで、組み付けられた状態で隣り合うティース部が邪魔になることなく、巻線を容易に巻回することができる。
【０００３】
【特許文献１】
特開平９−４６９４１号公報
【０００４】
【発明が解決しようとする課題】
ところで、上記のようなコアでは、ティース部の先端から周方向に延びる傘部における周方向両端部が、組み付けられる方向（軸方向）に沿った直線形状とされていた。このようなコアでは、隣り合う傘部とその間の隙間により、ロータ回転時に磁気抵抗の急激な変化が発生しコギングトルクが大きくなるという問題があった。
【０００５】
本発明は、上記問題を解決するためになされたものであって、その目的は、複数の構成部材が軸方向に組み付けられて形成される回転電機のコアにおいて、コギングトルクを低減することができる回転電機のコアを提供することにある。
【０００６】
【課題を解決するための手段】
請求項１に記載の発明は、放射状に設けられ巻線が巻回される複数のティース部を備え、隣り合う前記ティース部が複数に分割された複数の構成部材が軸方向に組み付けられて形成される回転電機のコアにおいて、前記ティース部の先端から周方向に延びる傘部に、周方向端部に向かうほどその軸方向長さを小さくする縮長部を形成した。
【０００７】
請求項２に記載の発明は、請求項１に記載の回転電機のコアにおいて、前記縮長部は、前記傘部の周方向の両端に形成され、他の傘部に対し自身が組み付けられる方向における先端部に向かうほど前記傘部の周方向の幅を小さくするように傾斜した縮長テーパ部である。
【０００８】
請求項３に記載の発明は、請求項１又は２に記載の回転電機のコアにおいて、複数の前記ティース部を径方向内側で連結するリング部を有し、前記構成部材は、前記リング部が軸方向に分割された分割リング部をそれぞれ有し、その各分割リング部に隣り合う前記ティース部が分割されて設けられた複数の分割コアである。
【０００９】
請求項４に記載の発明は、請求項１に記載の回転電機のコアにおいて、前記縮長部は、前記傘部の周方向の両端に略平行に傾斜して形成された平行テーパ部であって、前記構成部材は、前記平行テーパ部と略平行に傾斜した傾斜被嵌合部及び傾斜嵌合部を有し、前記傾斜被嵌合部及び前記傾斜嵌合部が嵌合されて組み付けられる。
【００１０】
請求項５に記載の発明は、請求項１又は２に記載の回転電機のコアにおいて、複数の前記ティース部を径方向内側で連結するリング部を有し、前記構成部材は、前記リング部と、各前記ティース部である。
【００１１】
（作用）
請求項１に記載の発明によれば、隣り合う前記ティース部が複数に分割された複数の構成部材が組み付けられる前の状態で予め巻線を巻回することで、隣り合うティース部（傘部）が邪魔になることなく、巻線を容易に巻回することができる。よって、傘部の間隔を小さく設定することができ、ひいてはコギングトルクを低減することができる。しかも、傘部には、周方向端部に向かうほどその軸方向長さを小さくする縮長部が形成されるため、周方向の磁気抵抗の急激な変化が緩和され、コギングトルクが更に低減される。
【００１２】
請求項２に記載の発明によれば、縮長部は、傘部の周方向の両端に形成され、他の構成部材に対し自身が組み付けられる方向における先端部に向かうほど傘部の周方向の幅を小さくするように傾斜した縮長テーパ部とされる。このようにすると、軸方向への組み付け時、別の構成部材の傘部同士が接触（衝突）することを回避することができ、且つ組み付けられたコアの状態で隣り合う傘部同士の周方向の間隔を小さくすることができる。又、隣り合うティース部における隣接した縮長テーパ部を、周方向にオーバーラップさせることが可能となる。
【００１３】
請求項３に記載の発明によれば、構成部材は、リング部が軸方向に分割された分割リング部をそれぞれ有し、その各分割リング部に隣り合うティース部が分割されて設けられた複数の分割コアであるため、１つの分割リング部に複数のティース部を設けることで、組み付ける前の部品点数を少なくすることができる。
【００１４】
請求項４に記載の発明によれば、構成部材は、傘部の周方向の両端に略平行に傾斜して形成された平行テーパ部と略平行に傾斜した傾斜被嵌合部及び傾斜嵌合部が嵌合されて組み付けられるため、平行テーパ部に沿って捩られながら軸方向に組み付けられる。よって、軸方向への組み付け時、別の構成部材の傘部同士が接触（衝突）することを回避することができ、且つ組み付けられたコアの状態で隣り合う傘部同士の周方向の間隔を小さくすることができる。
【００１５】
請求項５に記載の発明によれば、組み付けられる複数の構成部材は、各ティース部と、ティース部を径方向内側で連結するリング部であるため、構成部材を単純な形状とすることができる。
【００１６】
【発明の実施の形態】
以下、本発明を具体化した一実施の形態を図１及び図２に従って説明する。図１は、コア１の斜視図である。図２は、コア１の分解斜視図である。このコア１は、回転電機としての直流モータの電機子（アーマチャ）に設けられ、図示しない巻線が巻回されるものである。
【００１７】
コア１は、図１に示すように、放射状に設けられ図示しない巻線が巻回される複数のティース部２，３と、前記ティース部２，３を径方向内側で連結するリング部４とを備える。尚、本実施の形態では、ティース部２，３は、等角度（４５度）間隔に８つ形成されている。
【００１８】
上記コア１は、図２に示すように、隣り合うティース部２，３が分割された第１分割コア１１と第２分割コア１２が軸方向に組み付けられて形成される。尚、本実施の形態では、第１分割コア１１と第２分割コア１２とが複数の構成部材を構成し、それらは同一の部材（品番が１つ）よりなる。又、第１及び第２分割コア１１，１２は、表面に酸化被膜が形成された粉体（磁性粉体）が圧縮成形されてなる。
【００１９】
第１及び第２分割コア１１，１２は、前記リング部４が軸方向に分割された分割リング部１１ａ，１２ａをそれぞれ有する。そして、各分割リング部１１ａ，１２ａには、組み付けられた状態（図１参照）で隣り合うティース部２，３が周方向に交互に分割されて設けられる。即ち、本実施の形態では、各分割リング部１１ａ，１２ａには、ティース部２，３が９０度毎に（４つ）設けられる。ティース部２，３は、第１及び第２分割コア１１，１２が組み付けられた状態（図１参照）でリング部４と軸方向高さが一致するように、その半分が分割リング部１１ａ，１２ａから軸方向に突出して形成されている。
【００２０】
前記ティース部２，３の先端（径方向外側端）には、周方向に延びる傘部２ａ，３ａが形成されている。そして、傘部２ａ，３ａには、周方向端部に向かうほどその軸方向長さを小さくする縮長部としての縮長テーパ部２ｂ，３ｂが形成されている。詳しくは、縮長テーパ部２ｂ，３ｂは、傘部２ａ，３ａの周方向の両端に形成されている。又、縮長テーパ部２ｂ，３ｂは、前記ティース部２，３が突出する軸方向（他の傘部に対し自身が組み付けられる方向（相対移動方向）における先端部（進行方向側端部）方向）に向かうほど傘部２ａ，３ａの周方向の幅を小さくするように傾斜して形成されている。即ち傘部２ａ，３ａは、径方向外側から見て、前記ティース部２，３が突出する軸方向側が短辺とされた略台形形状に形成されている。尚、本実施の形態の傘部２ａ，３ａは、ティース部２，３の先端（径方向外側端）から、周方向の一方と他方に延びる量が同じに設定されている。又、縮長テーパ部２ｂ，３ｂの軸方向に対する傾斜角度は全て同じに設定されている。
【００２１】
又、第１及び第２分割コア１１，１２には、図２に示すように、嵌合凹部１１ｂ，１２ｂ及び嵌合凸部１１ｃ，１２ｃが形成されている。嵌合凹部１１ｂ，１２ｂは、各分割リング部１１ａ，１２ａの自身のティース部２，３間において、径方向外側が開口し、径方向外側から内側に向かうほど周方向の幅（間隔）が大きくなるように（断面が所謂楔状に）形成されている。又、嵌合凸部１１ｃ，１２ｃは、分割リング部１１ａ，１２ａから軸方向に突出したティース部２，３の基端部（径方向内側端部）において、嵌合凹部１１ｂ，１２ｂと対応した形状、即ち径方向外側から内側に向かうほど周方向の幅が大きくなるように形成されている。
【００２２】
そして、上記のように構成された第１及び第２分割コア１１，１２は、分割された状態（隣り合うティース部２，３が周方向に交互に分割された状態（図２参照））で予め図示しない巻線が巻回（集中巻）される。そして、第１及び第２分割コア１１，１２は、ティース部２，３が等角度（４５度）間隔となるように対向配置された状態で軸方向に相対移動され、嵌合凸部１１ｃ，１２ｃが嵌合凹部１１ｂ，１２ｂに嵌合されて組み付けられる。又、この組み付け時、嵌合凸部１１ｃ，１２ｃと嵌合凹部１１ｂ，１２ｂとには磁性粉体が混合された接着剤が塗布される。よって、嵌合凸部１１ｃ，１２ｃと嵌合凹部１１ｂ，１２ｂとは嵌合された状態で前記接着剤にて接着される。尚、本実施の形態のコア１では、隣り合うティース部２，３における隣接した縮長テーパ部２ｂ，３ｂ（傘部２ａ，３ａ）の周方向最端部（ティース部２，３が突出しない軸方向端部における周方向端部）が、周方向に同じ位置（角度）となるように設定されている。
【００２３】
次に、上記実施の形態の特徴的な作用効果を以下に記載する。
（１）隣り合うティース部２，３が分割されて設けられた第１及び第２分割コア１１，１２が組み付けられる前の状態で予め巻線を巻回することで、隣り合うティース部２，３（傘部２ａ，３ａ）が邪魔になることなく、巻線を容易に巻回することができる。よって、コア１の傘部２ａ，３ａの間隔を小さく設定することができ、ひいてはコギングトルクを低減することができる。しかも、傘部２ａ，３ａには、周方向端部に向かうほどその軸方向長さを小さくする縮長テーパ部２ｂ，３ｂが形成されるため、周方向の磁気抵抗の急激な変化が緩和され、コギングトルクが更に低減される。又、巻線を巻回する際、隣り合うティース部２，３の巻線が邪魔になることなく、巻線の間隔を小さく設定することができる。よって、巻線の占積率を高くすることができる。
【００２４】
（２）縮長テーパ部２ｂ，３ｂは、傘部２ａ，３ａの周方向の両端に形成され、ティース部２，３が突出する軸方向（他の傘部に対し自身が組み付けられる方向における先端部方向）に向かうほど傘部２ａ，３ａの周方向の幅を小さくするように傾斜して形成される。このようにすると、軸方向への組み付け時、別の構成部材（第１分割コア１１と第２分割コア１２）の傘部２ａ，３ａ同士が接触（衝突）することを回避することができ、且つ組み付けられたコア１の状態で隣り合う傘部２ａ，３ａ同士の周方向の間隔を小さくすることができる。本実施の形態では、隣接した縮長テーパ部２ｂ，３ｂの周方向最端部が、周方向に同じ位置となるように設定されているが、軸方向への組み付け時、互いに傘部２ａ，３ａの前記短辺側から嵌め合わされていくので周方向に大きな隙間を確保でき、傘部２ａ，３ａ同士の接触（衝突）を容易に回避することができる。
【００２５】
（３）第１及び第２分割コア１１，１２は、リング部４が軸方向に分割された分割リング部１１ａ，１２ａをそれぞれ有し、その各分割リング部１１ａ，１２ａには隣り合う前記ティース部２，３が分割されて設けられる。よって、１つの分割リング部１１ａ，１２ａに複数（４つ）のティース部２，３を設けることで、前記軸方向に組み付ける前の部品点数を少なく（本実施の形態では、２つに）することができる。よって、組付け作業を簡単にすることができる。
【００２６】
（４）第１及び第２分割コア１１，１２は同一の部材（品番が１つ）よりなるため、コア１（モータ）を構成する部品の種類が少なくなる。
上記実施の形態は、以下のように変更してもよい。
【００２７】
・上記実施の形態の傘部２ａ，３ａに形成した縮長テーパ部２ｂ，３ｂを、図３及び図４に示すように、傘部２１ａ，２２ａの周方向の両端に略平行に傾斜して形成された縮長部としての平行テーパ部２１ｂ，２２ｂに変更してもよい。
【００２８】
詳しくは、第１及び第２分割コア２３，２４は、リング部２５（図３参照）が軸方向に分割された分割リング部２３ａ，２４ａ（図４参照）をそれぞれ有し、各分割リング部２３ａ，２４ａには、組み付けられた状態（図３参照）で隣り合うティース部２１，２２が周方向に交互に分割されて設けられる。
【００２９】
ティース部２１，２２の先端（径方向外側端）には、周方向に延びる傘部２１ａ，２２ａが形成されている。そして、傘部２１ａ，２２ａの周方向の両端には、略平行に傾斜して形成された平行テーパ部２１ｂ，２２ｂが形成されている。
【００３０】
又、第１及び第２分割コア２３，２４には、図４に示すように、前記平行テーパ部２１ｂ，２２ｂと略平行に傾斜した傾斜被嵌合部としての嵌合凹部２３ｂ，２４ｂ及び傾斜嵌合部としての嵌合凸部２３ｃ，２４ｃが形成されている。
【００３１】
又、ティース部２１，２２（分割リング部２３ａ，２４ａと傘部２１ａ，２２ａとの部分）は、図５に示すように、その周方向の一方の端面が前記平行テーパ部２１ｂ，２２ｂと略平行に傾斜したティース傾斜部２１ｃ，２２ｃとされている。尚、前記周方向の他方の端面もティース傾斜部としてもよい。
【００３２】
そして、第１及び第２分割コア２３，２４は、嵌合凸部２３ｃ，２４ｃが嵌合凹部２３ｂ，２４ｂに嵌合されて組み付けられる。このとき、嵌合凹部２３ｂ，２４ｂと嵌合凸部２３ｃ，２４ｃは、平行テーパ部２１ｂ，２２ｂと略平行に傾斜していることから、第１及び第２分割コア２３，２４が平行テーパ部２１ｂ，２２ｂに略沿って捩られながら軸方向に組み付けられる。
【００３３】
よって、軸方向への組み付け時、別の構成部材（第１分割コア２３と第２分割コア２４）の傘部２１ａ，２２ａ同士が接触（衝突）することを回避することができ、且つ組み付けられたコア２６の状態で隣り合う傘部２１ａ，２２ａ同士の周方向の間隔を小さくすることができる。即ち、縮長部を上記のように平行テーパ部２１ｂ，２２ｂとした場合、嵌合凹部及び嵌合凸部を上記実施の形態のように軸方向に沿って形成すると、その角同士が衝突しないように周方向の間隔を大きくする必要がある。これに対して上記のように嵌合凹部２３ｂ，２４ｂと嵌合凸部２３ｃ，２４ｃを平行テーパ部２１ｂ，２２ｂと略平行に傾斜させると、平行テーパ部２１ｂ，２２ｂに略沿って傘部２１ａ，２２ａ同士が嵌め合わされていくので、周方向の間隔を小さくしても接触（衝突）することを回避することができる。
【００３４】
又、ティース部２１，２２がティース傾斜部２１ｃ，２２ｃを有するため、軸方向への組み付け時、ティース部２１，２２に巻回された巻線同士が接触（衝突）することを回避することができ、且つ組み付けられたコア２６の状態で隣り合う巻線同士の周方向の間隔を小さく設定することができる。よって、巻線の占積率を更に高くすることができる。
【００３５】
・上記実施の形態では、コア１を構成する構成部材を第１及び第２分割コア１１，１２としたが、隣り合うティース部が複数に分割され軸方向に組み付けられるものであれば他の複数の構成部材に変更してもよい。
【００３６】
例えば、図６に示すコア３１に変更してもよい。コア３１は、放射状に設けられ巻線３２が巻回される複数（８つ）のティース部３３，３４と、それらティース部３３，３４を径方向内側で連結するリング部３５とを有する。そして、この例では、各ティース部３３，３４とリング部３５とがそれぞれ軸方向に組み付けられる構成部材を構成している。
【００３７】
ティース部３３，３４の傘部３３ａ，３４ａには、周方向端部に向かうほどその軸方向長さを小さくする縮長部としての縮長テーパ部３３ｂ，３４ｂが形成されている。詳しくは、縮長テーパ部３３ｂ，３４ｂは、傘部３３ａ，３４ａの周方向の両端に形成されている。又、縮長テーパ部３３ｂ，３４ｂは、他の傘部に対し自身が組み付けられる方向（相対移動方向）における先端部（進行方向側端部）方向に向かうほど傘部３３ａ，３４ａの周方向の幅を小さくするように傾斜して形成されている。即ち傘部３３ａ，３４ａは、径方向外側から見て（図７参照）、他の傘部に対し自身が組み付けられる方向（図７中、矢印参照）側が短辺とされた略台形形状に形成されている。尚、この例のコア３１では、隣り合うティース部３３，３４における隣接した縮長テーパ部３３ｂ，３４ｂが、周方向にオーバーラップする（一部重なる）ように設定されている（図６の部分拡大図、及び図７参照）。又、リング部３５には、嵌合凹部３５ａが形成され、ティース部３３，３４には嵌合凸部３３ｃ，３４ｃが形成されている。
【００３８】
そして、上記のように構成されたティース部３３，３４及びリング部３５は、分割された状態で予め巻線３２が巻回される。そして、まず９０度間隔に配置される一方のティース部３３がリング部３５に対して軸方向に相対移動され、嵌合凸部３３ｃが嵌合凹部３５ａに嵌合されて組み付けられる。そして、他方のティース部３４は、その傘部３４ａの周方向の幅が小さい方からリング部３５（傘部３３ａ）に対して軸方向に相対移動され（図７中、矢印参照）、嵌合凸部３４ｃが嵌合凹部３５ａに嵌合されて組み付けられる。
【００３９】
このようにしても、傘部３３ａ，３４ａの縮長テーパ部３３ｂ，３４ｂにより、コギングトルクが低減される。又、複数の構成部材を各ティース部３３，３４とティース部３３，３４を径方向内側で連結するリング部３５としたため、構成部材を単純な形状とすることができる。又、１つのティース部３３，３４が単体の状態で巻線３２を巻回することができるので、邪魔になるものがなく、更に巻線３２を容易に巻回することができる。
【００４０】
又、隣り合うティース部３３，３４における隣接した縮長テーパ部３３ｂ，３４ｂが周方向にオーバーラップするように設定したため、コギングトルクを更に低減することができる。尚、上記実施の形態のコア１においても、隣り合うティース部２，３における隣接した縮長テーパ部２ｂ，３ｂを周方向にオーバーラップするように設定してもよい。
【００４１】
・上記実施の形態では、傘部２ａ，３ａは、径方向外側から見て略台形形状に形成されるとしたが、傘部に周方向端部に向かうほどその軸方向長さを小さくする縮長部が形成されていれば、他の形状に変更してもよい。
【００４２】
例えば、図８に示すように、傘部４１を径方向外側から見て略８角形に形成してもよい。この場合、傘部４１の周方向の両端であって且つ軸方向の両端に傾斜して形成された部分が縮長部としての８角形テーパ部４１ａとされる。このようにしても、巻線を容易に巻回することができ、且つコギングトルクを低減することができる。
【００４３】
又、例えば、図９に示すように、傘部５１を径方向外側から見て略６角形に形成してもよい。この場合、傘部５１の周方向の両端であって且つ軸方向の両側に傾斜して形成された部分が縮長部としての６角形テーパ部５１ａとされる。このようにしても、巻線を容易に巻回することができ、且つコギングトルクを低減することができる。
【００４４】
又、例えば、傘部に周方向端部に向かうほどその軸方向長さを小さくする曲線状の縮長部を形成して実施してもよい。
・上記実施の形態では、第１及び第２分割コア１１，１２は同一の部材（品番が１つ）よりなるとしたが、異なる形状の第１及び第２分割コアに変更してもよい。例えば、第１分割コアにのみ嵌合凹部が形成され、第２分割コアにのみ嵌合凸部が形成されたものとしてもよい。
【００４５】
・上記実施の形態では、直流モータの電機子（アーマチャ）に設けられるコア１としたが、他の回転機機に用いられるコア（例えば、ブラシレスモータのステータのコア）に変更してもよい。
【００４６】
上記各実施の形態から把握できる技術的思想について、以下にその効果とともに記載する。
（イ）請求項１に記載の回転電機のコアにおいて、前記傘部は、径方向外側から見て略８角形に形成され、前記縮長部は、前記傘部の周方向の両端であって且つ軸方向の両端に傾斜して形成された８角形テーパ部であることを特徴とする回転電機のコア。このようにすると、巻線を容易に巻回することができ、且つコギングトルクを低減することができる。
【００４７】
（ロ）請求項１に記載の回転電機のコアにおいて、前記傘部は、径方向外側から見て略６角形に形成され、前記縮長部は、前記傘部の周方向の両端であって且つ軸方向の両側に傾斜して形成された６角形テーパ部であることを特徴とする回転電機のコア。このようにすると、巻線を容易に巻回することができ、且つコギングトルクを低減することができる。
【００４８】
（ハ）請求項２に記載の回転電機のコアにおいて、隣り合う前記ティース部における隣接した前記縮長テーパ部は、周方向にオーバーラップしたことを特徴とする回転電機のコア。このようにすると、コギングトルクを更に低減することができる。
【００４９】
（ニ）請求項３に記載の回転電機のコアにおいて、複数の前記分割コアは、同一の部材であることを特徴とする回転電機のコア。このようにすると、コアを構成する構成部材の種類が少なくなる。
【００５０】
（ホ）請求項４に記載の回転電機のコアにおいて、前記ティース部は、その周方向の少なくとも一方の端面が前記平行テーパ部と略平行に傾斜したティース傾斜部を有することを特徴とする回転電機のコア。このようにすると、平行テーパ部に沿って捩られながら軸方向に組み付けられる時、ティース部が傾斜部を有するため、別の構成部材のティース部に巻回された巻線同士が接触（衝突）することを回避することができ、且つ組み付けられたコアの状態で隣り合う巻線同士の周方向の間隔を小さくすることができる。
【００５１】
【発明の効果】
以上詳述したように、本発明によれば、複数の構成部材が軸方向に組み付けられて形成される回転電機のコアにおいて、コギングトルクを低減することができる回転電機のコアを提供することができる。
【図面の簡単な説明】
【図１】本実施の形態におけるコアの斜視図。
【図２】本実施の形態におけるコアの分解斜視図。
【図３】別例におけるコアの斜視図。
【図４】別例におけるコアの分解斜視図。
【図５】図４のＡ−Ａ断面図。
【図６】別例におけるコアの平面図。
【図７】別例における傘部を径方向外側から見た模式図。
【図８】別例におけるコアの斜視図。
【図９】別例におけるコアの斜視図。
【符号の説明】
２，３，２１，２２…ティース部、２ａ，３ａ，２１ａ，２２ａ，３３ａ，３４ａ，４１，５１…傘部、２ｂ，３ｂ，３３ｂ，３４ｂ…縮長テーパ部（縮長部）、４，２５…リング部、１１，１２，２３，２４…第１及び第２分割コア（構成部材）、１１ａ，１２ａ，２３ａ，２４ａ…分割リング部、２１ｂ，２２ｂ…平行テーパ部（縮長部）、２３ｂ，２４ｂ…嵌合凹部（傾斜被嵌合部）、２３ｃ，２４ｃ…嵌合凸部（傾斜嵌合部）、３２…巻線、３３，３４…構成部材の一部を構成するティース部、３５…構成部材の一部を構成するリング部。
【図１】
2004260935.tif 000003
【図２】
2004260935.tif 000004
【図３】
2004260935.tif 000005
【図４】
2004260935.tif 000006
【図５】
2004260935.tif 000007
【図６】
2004260935.tif 000008
【図７】
2004260935.tif 000009
【図８】
2004260935.tif 000010
【図９】
2004260935.tif 000011